(57)【要約】【課題】操作者の操作負担を軽減して操作性を向上させる。【解決手段】入力装置１の入力部２は、ロータリースイッチ、プッシュスイッチ及びスライドスイッチの機能を併せ持つ操作子２１と、押しボタンスイッチ８とから構成される。表示部３には、初期画面が表示される。操作者が操作子２１を動かすと、初期画面がメニュー画面１８に切り換わり、そのまま操作子２１を回転、スライド、押圧することにより電装品の操作項目の選択や確定操作を行う。制御部４は、入力部２からの出力に基づき、電装品の操作項目の選択や確定操作に基づく制御処理及び制御ユニット９０との通信を行う。【選択図】　図２
2004070505.tif 000002
【特許請求の範囲】
【請求項１】
電子機器の複数の操作項目を含む階層化された操作メニューを表示する表示手段と、
前記操作メニューから任意の操作項目を選択するための入力手段と、
この入力手段による操作項目の選択操作に基づいて前記表示手段における操作メニューの表示を制御すると共に、前記操作メニューに対する選択確定処理を実行する制御手段とを備え、
前記入力手段は、
スイッチ基板と、
このスイッチ基板に対して所定方向にスライド自在に設けられると共に回転方向及び押圧方向に変位する操作子とを有し、
前記制御手段は、前記操作子の回転方向の変位を検出して前記操作メニューの同一階層の操作項目のうちの１つを選択状態とするように前記操作メニューの表示を制御し、前記操作子の前記スイッチ基板に対するスライド方向の変位を検出して前記選択状態とされている操作項目の上位又は下位の操作メニューを表示するように制御し、且つ前記操作子の押圧方向の変位を検出して前記選択状態とされている操作項目を選択確定状態とするように制御するものである
ことを特徴とする入力装置。
【請求項２】
前記操作子に振動を与える振動手段を更に備え、
前記制御手段は、前記操作項目が選択確定状態とされた際に、前記振動手段を振動させるように制御するものであることを特徴とする請求項１記載の入力装置。
【請求項３】
前記操作メニューの各操作項目の選択状態及び選択確定状態を音声で案内する音声案内手段を更に備え、
前記制御手段は、前記操作メニューを構成する複数の操作項目のうち前記操作子の回転操作によって選択された選択項目が選択状態となっていることを音声で案内し、前記操作子の押圧操作によって前記操作項目が選択確定状態となったことを音声で案内するように前記音声案内手段を制御するものである
ことを特徴とする請求項１又は２記載の入力装置。
【請求項４】
請求項１〜３のいずれか１項記載の入力装置を備えたことを特徴とする自動車のセンターコンソールパネル。
【請求項５】
請求項１〜３のいずれか１項記載の入力装置を備えたことを特徴とする自動車のドア。
【請求項６】
請求項１〜３のいずれか１項記載の入力装置を備えたことを特徴とする自動車のステアリングホイール。
【発明の詳細な説明】
【０００１】
【発明の属する技術分野】
この発明は、例えばエアコンやオーディオ等の電子機器を操作するための入力装置に関し、特に操作者の操作負担を軽減して電子機器の操作性を向上させることができる入力装置に関する。
【０００２】
【従来の技術】
従来から、例えば自動車に搭載されるエアコンやオーディオ等の各種電子機器を操作する入力装置がある。この入力装置として、これらの電子機器で使用される複数の操作スイッチをスイッチ群としてまとめ、１つのディスプレイ上に統合して表示し、表示される全ての機能（メニュー）を、例えば表示されたメニュー画像を選択等することにより、１つのコントローラで操作指示するものがある。
【０００３】
このような入力装置の入力手段（コントローラ）として、ロータリースイッチ、プッシュスイッチ及び多方向スイッチを組み合わせたものが知られている。
【０００４】
これらロータリースイッチ、プッシュスイッチ及び多方向スイッチを組み合わせたコントローラを有する入力装置によれば、複数の階層に分かれた多数のメニューを選択したり決定したりする操作を、１つのコントローラで効率良く行うことができるため、例えば自動車の運転者にとっては大変便利なものとなる。また、複数のコントローラを使用する場合と比べると、適切な操作のためのコントローラを探して操作するという手間を省くことができるため、操作指示の入力作業時間を短縮することができる。
【０００５】
【発明が解決しようとする課題】
しかしながら、このロータリースイッチ、プッシュスイッチ及び多方向スイッチを組み合わせたコントローラを有する入力装置では、これらのスイッチを組み合わせた複雑な構造を有するため、入力装置自体が高価なものとなる。また、統合された操作スイッチの数が多くなる傾向にあるため、各スイッチ群がメニュー毎に階層化された構造となり、入力作業が煩雑となる。例えば、メニューの階層間の移動がプッシュ操作により行われる場合、プッシュ操作を何回も行わなければならなくなるため、プッシュ操作が煩雑となることがある。更に、この入力装置では、操作者がディスプレイを見ながらコントローラを操作して入力作業を行うため、自動車の運転者が操作する場合は、運転に集中し難く危険性が増すおそれがある。
【０００６】
この発明は、このような事情に鑑みてなされたもので、操作者の操作負担を軽減して操作性を向上させることができる入力装置を提供することを目的とする。
【０００７】
【課題を解決するための手段】
この発明に係る入力装置は、電子機器の複数の操作項目を含む階層化された操作メニューを表示する表示手段と、前記操作メニューから任意の操作項目を選択するための入力手段と、この入力手段による操作項目の選択操作に基づいて前記表示手段における操作メニューの表示を制御すると共に、前記操作メニューに対する選択確定処理を実行する制御手段とを備え、前記入力手段は、スイッチ基板と、このスイッチ基板に対して所定方向にスライド自在に設けられると共に回転方向及び押圧方向に変位する操作子とを有し、前記制御手段は、前記操作子の回転方向の変位を検出して前記操作メニューの同一階層の操作項目のうちの１つを選択状態とするように前記操作メニューの表示を制御し、前記操作子の前記スイッチ基板に対するスライド方向の変位を検出して前記選択状態とされている操作項目の上位又は下位の操作メニューを表示するように制御し、且つ前記操作子の押圧方向の変位を検出して前記選択状態とされている操作項目を選択確定状態とするように制御するものであることを特徴とする。
【０００８】
この発明によれば、制御手段が、操作子の回転方向の変位を検出して操作メニューの同一階層の操作項目のうちの１つを選択状態とするように操作メニューを表示し、操作子のスライド方向の変位を検出して選択状態とされている操作項目の上位又は下位の操作メニューを表示し、且つ操作子の押圧方向の変位を検出して選択状態とされている操作項目に対する選択確定処理を実行するので、操作子を回転、スライド及び押圧操作という一連の操作で階層化された操作項目の選択や確定操作を行うことができる。これにより、押圧操作を繰り返して行う場合に比べ、操作者の操作負担は大幅に軽減される。
【０００９】
なお、操作子に振動を与える振動手段を更に備えるようにし、制御手段が、操作項目を選択確定状態とする際に、振動手段を振動させるように制御しても良い。このようにすれば、表示手段を注視せずに、選択確定状態を知ることができる。
【００１０】
更に、操作メニューの各操作項目の選択状態及び選択確定状態を音声で案内する音声案内手段を設けるようにし、制御手段が、操作メニューを構成する複数の操作項目のうち操作子の回転操作によって選択された選択項目が選択状態となっていることを音声で案内し、操作子の押圧操作によって操作項目が選択確定状態となったことを音声で案内するように音声案内手段を制御するものであると、操作メニューを全く見ることなしに、所望とする操作項目の選択操作と確定操作が可能になる。
【００１１】
なお、上記入力装置を、例えば自動車のセンターコンソールパネル、ドア及びステアリングホイールなどに配設すれば、自動車の運転者の操作負担を軽減して操作性を向上させることが期待できる。
【００１２】
【発明の実施の形態】
以下、添付の図面を参照して、この発明の好ましい実施の形態を説明する。
図１は、この発明の一実施形態に係る入力装置を示す機能ブロック図である。入力装置１は、入力手段としてのロータリースイッチ、プッシュスイッチ、スライドスイッチ及び押しボタンスイッチ等からなる入力部２と、例えば自動車に搭載された各種電子機器（以下、「電装品」と呼ぶ。）の機能（メニュー）等を表示する表示手段としての表示部３と、入力部２からの入力処理及び表示部３の画面表示や表示切換等の処理などの各種処理を行うための制御手段としての制御部４と、電装品を操作するときの音声案内等の音声処理を行う音声部５と、電装品の操作に合わせて入力装置１を振動させる振動部６と、自動車の制御ユニット９０と制御部４との通信を行うためのドライバ７とを備えて構成され、これらを所定の筐体に配設して形成されている。
【００１３】
制御部４や音声部５は、例えばＣＰＵやＭＰＵ等の各種プロセッサやＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）と、所定のプログラムと、ハードディスクや半導体メモリ等の記憶装置とを備えて構成され、これらを組み合わせて動作させることにより所定の機能を実現している。音声部５には、音声案内のための音声処理を行うＤＳＰが備えられ、このＤＳＰにより生成された電気信号を自動車に搭載されたスピーカのような電気音響変換装置で音声として出力し音声案内を行う。
【００１４】
図２は、入力装置１の一部平面図及び一部断面図並びにスイッチ基板の平面図である。
入力装置１の筐体１０には、スライド溝部１１が形成され、このスライド溝部１１の開口周辺部には、例えば入力部２の一部を構成する押しボタンスイッチ８が配設されている。押しボタンスイッチ８の下部には、図２（ｂ）に示すように、スイッチ基板２０上に実装されたタクトスイッチ１２が配設されている。スライド溝部１１の底部には、複数のスイッチ電極９が形成されたスイッチ基板２０が配設されている。また、スライド溝部１１には、操作子２１がスライド可能な状態で嵌め込まれている。
【００１５】
この操作子２１は、図２（ａ）に示すように、図中矢印方向にスライド可能であると共に回転可能な構造からなり、更に同図（ｂ）に示すように、図中白抜き矢印方向に移動（押圧）可能な構造からなる。即ち、操作子２１は、ロータリースイッチとプッシュスイッチの機能を併せ持つと共に、スライドスイッチの機能も併せ持つものである。なお、ロータリースイッチ、プッシュスイッチ及びスライドスイッチのスイッチ機能については、公知技術であるため、ここでは説明を省略する。
【００１６】
一方、スイッチ基板２０には、図２（ｃ）に示すように、複数のスイッチ電極９が操作子２１のスライド方向に沿って所定間隔で配列されている。また、操作子２１のスイッチ基板２０と対向する部分には、操作子２１がスライドした位置で一対のスイッチ電極９間を短絡させるためのスイッチ接点２２が形成されている。なお、操作子２１の下方には、図２（ｂ）に示すように、操作子２１に振動を与えるための振動手段としての振動モータ１３が配設されている。
【００１７】
このように構成されたこの入力装置１では、操作子２１を回転、スライド、押圧操作することにより、階層化された電装品の多数の操作項目の複合的な選択や確定操作を一連の動作で行うことが可能となる。以下、この入力装置１による動作の一例について、図３〜図６を用いて説明する。図３は、この入力装置の動作の一例を示すフローチャート、図４〜図６は、この動作のステップを説明するための図である。なお、図４〜図６中の（ａ）は表示部３を示す平面図であり、（ｂ）は入力装置１の一部平面図であり、（ｃ）は選択される操作メニューの切換順序を示すブロック図である。また、図５中（ｄ）は入力装置１の一部簡易断面図である。
【００１８】
まず、初期状態において、例えば表示部３には、カーナビゲーション画面等の初期画面が表示されている（ステップＳ１）。このとき、制御部４では、入力部２からの出力に基づき、操作子２１においてロータリー、スライド及びプッシュ操作のいずれかの操作が行われ、スイッチ入力を検出したか否かが判断されている（ステップＳ２）。そして、入力装置１の操作者（例えば、自動車の運転者等）が、上記操作を行い操作子２１を動かすと、入力部２からの出力に基づき、制御部４においてスイッチ入力があったとの判断がなされ（ステップＳ２）、図４（ａ）に示すように、表示部３に表示されていた初期画面の切り換えが行われ（ステップＳ３）、操作メニュー画面１８が表示される（ステップＳ４）。
【００１９】
ここで、操作メニュー画面１８に表示される電装品の各操作項目について説明する。図４（ａ）に示すように、操作メニュー画面１８の中央部には、６個の矩形状の操作項目１９ａ〜１９ｆが表示されている。この例では、各操作項目１９ａ〜１９ｆには、操作子２１により操作される電装品が表示されている。
【００２０】
例えば、操作項目１９ａはエアコン用、操作項目１９ｂはサウンド用、操作項目１９ｃはＣＤ（Ｃｏｍｐａｃｔ　Ｄｉｓｃ）用、操作項目１９ｄはカセット・テープ用、操作項目１９ｅはラジオのＡＭ用、操作項目１９ｆはラジオのＦＭ用である。なお、例えば表示部３として、タッチパネル等を用いた場合、これらの操作項目１９ａ〜１９ｆの表示部分を押圧（接触）すると、押圧した操作項目に対応する下層階の操作メニュー（サブ操作）項目を表示するように構成し、操作子２１を操作しなくてもそれぞれの電装品について種々の動作状態を変更することができる構成とすることも可能となる。また、タッチパネル等の構成により、押圧でなくても接触等することにより表示を変更するように構成することもできる。なお、図４（ａ）では、操作項目１９ａ〜１９ｆで操作される電装品の動作状態がＯＦＦであることを示しており、例えば選択される電装品についてはその電装品に対応する操作項目が反転表示されたり、枠が太く表示されたりすることにより操作者が視認することができる構造となっている。
【００２１】
操作メニュー画面１８の上部には、操作項目３個分の横寸法とほぼ等しい横寸法の矩形状の動作表示領域２２が配置されている。この動作表示領域２２には、操作子２１により操作される電装品の動作の詳細等が表示される。図４（ａ）では、上述したように全ての電装品の動作がＯＦＦ状態であることを表示している。
【００２２】
一方、操作メニュー画面１８の下部には、動作表示領域２２の横寸法とほぼ等しい横寸法の矩形状の表示切換領域２３が配置されている。この表示切換領域２３は、例えば複数の電装品を動作させている場合に、表示切換領域２３の確定動作（例えば、押圧するなど）を繰り返すことにより、動作表示領域２２に表示されている電装品の動作の詳細を順に切り換えて表示することなどに利用される。
【００２３】
ステップＳ４で操作メニュー画面１８を表示した後、制御部４は、図４（ｂ）に示すように、操作子２１の回転による入力（ロータリー入力）があるか否かを判断し（ステップＳ５）、ロータリー入力がない場合は、ステップＳ１７に移行して所定時間経過後に画面切換を行い、初期画面を表示する（ステップＳ１）。ロータリー入力がある場合は、そのロータリー入力に基づき、図４（ａ）に示すように、選択されている操作項目に対応した操作項目１９ａ〜１９ｆを選択項目としてその枠を太く表示し、選択状態となるように操作メニュー表示を制御して操作項目の選択を実行し（ステップＳ６）、操作者は、その太枠表示を目的の操作項目に合わせるように操作子２１を回転させ操作項目の選択を行う。なお、操作項目１９ａ〜１９ｆを選択項目とした場合の太枠表示は、操作子２１の回転に伴い、図４（ｃ）に示すように例えば順番に切り換わる。図４（ａ）においては、操作項目１９ａのエアコンが選択項目として選択されている状態を示している。
【００２４】
このとき、制御部４では、図５（ｂ）に示すように、操作子２１のスライド方向への移動による入力（スライド入力）があるか否かを判断し（ステップＳ７）、スライド入力がない場合は、上記と同様ステップＳ１７に移行して所定時間経過後に画面切換を行い、初期画面を表示する（ステップＳ１）。操作項目選択の最中にスライド入力がある場合は、制御部４は、そのスライド入力の際に選択していた操作項目を選択決定状態とする（ステップＳ８）と共に、スライド入力に基づき、図５（ａ）に示すように、操作メニュー画面１８上に、選択決定した操作項目のサブ操作項目２０ａ〜２０ｆを表示する（ステップＳ９）。なお、このとき、動作表示領域２２には、選択決定された操作項目に対応する電装品の動作状態が表示される。
【００２５】
なお、例えば操作メニュー画面１８に表示されるサブ操作項目２０ａは内気循環用、サブ操作項目２０ｂは上方排気用、サブ操作項目２０ｃは下方排気用、サブ操作項目２０ｄは下方排気用、サブ操作項目２０ｅは下方排気とデフォッグ用、サブ操作項目２０ｆはデフォッグ用である。
【００２６】
サブ操作項目が表示部３表示された後、制御部４では、操作子２１をスライド方向に移動するスライド入力に基づき、図５（ａ）に示すように、選択されているサブ操作項目２０ａ〜２０ｆの枠を太く表示する制御を行い、操作者は、その太枠表示を目的のサブ操作項目に合わせるように操作子２１をスライドさせてサブ操作項目の選択を行う（ステップＳ１０）。なお、表示される各サブ操作項目２０ａ〜２０ｆの太枠表示は、操作子２１のスライドに伴い、例えば図５（ｃ）に示すように順番に切り換わる。また、このとき、制御部４は、例えば選択されているサブ操作項目が、次にロータリー入力を必要とするものであるか否かを判断し（ステップＳ１１）、必要である場合は振動部６に対して振動発生命令を出力して（ステップＳ１２）、それを受けた振動部６は、例えば図５（ｄ）に示すように、振動モータ１３を動作させて振動を発生させる。これにより、例えば操作者は、操作子２１から伝わるこの振動を感知して触感で選択しているサブ操作項目がロータリー入力を必要としていることを確認することができる。
【００２７】
また、制御部４は、操作子２１によるスライド入力が、スライド範囲の端部からのものであるか否かを入力部２からの出力に基づき判断する（ステップＳ１３）。スライド範囲の端部からの入力である場合は、ステップＳ４に戻って操作メニュー画面１８に操作メニューが表示される。即ち、スライド入力によりサブ操作項目を選択している際に操作子２１をスライド範囲の端部に移動させることにより、下層階のメニューから上層階のメニュー（例えば、サブ操作項目から操作項目）に戻ることができる、いわゆるバックボタン機能を実現することができる構成となっている。
【００２８】
そして、スライド範囲の端部からの入力がない場合は、制御部４は、操作子２１を押圧する入力（プッシュ入力）又はロータリー入力があるか否かを判断し（ステップＳ１４）、入力がない場合は、ステップＳ１０に移行してサブ操作項目の選択が再び行われる。一方、プッシュ入力又はロータリー入力がある場合は、その際に選択されているサブ操作項目が確定される（ステップＳ１５）。図５（ａ）は、サブ操作項目２０ｅが選択確定された状態を表わしており、同図（ｃ）に示すように、太枠表示の切り換えはサブ操作項目２０ｅでストップする。
【００２９】
そして、制御部４は、確定したサブ操作項目に基づく制御を電装品に実行させるべく、制御命令をドライバ７を介して制御ユニット９０に出力する（ステップＳ１６）。制御ユニット９０は、制御部４からの制御命令に基づき対応する電装品の動作を実行させる。この例では、サブ操作項目２０ｅが選択確定されたので、例えば、図６（ａ）に示すように、表示部３にサブ操作項目の下層階の所定の画面（例えば、温度と風量の設定画面）を表示させて、操作者にその操作を促す。表示部３の設定画面１８ａには、例えば温度と風量を表示する表示領域２４ａ，２４ｂが表示されている。なお、操作者は、例えば同図（ｂ）に示すように、操作子２１をスライドさせることにより同図（ｃ）に示すように表示領域２４ａ，２４ｂの選択を切り換え、ロータリー入力することにより表示領域２４ａ，２４ｂに表示される数字や文字を変更するなどの操作を行い、電装品の設定作業を行うことができる。図６（ａ）及び（ｃ）では、設定画面１８ａの表示領域２４ｂが選択され、風量の変更が行われていることを太枠表示で示している。
【００３０】
その後、制御部４は、例えば操作者による電装品の動作の操作（操作項目の選択／確定等）が全て終了し、所定時間が経過したことを確認すると、設定画面１８ａを初期画面に切り換えて次の操作に対して待機する（ステップＳ１７）。なお、この入力装置１では、操作子２１部分の近傍を、筐体１０に着脱可能な構造とし、制御部４との通信を行う通信手段を更に配設すれば、電装品の遠隔操作を行うことができるようになるため、利便性を向上させることができる。
【００３１】
このように、この入力装置１によれば、電装品の操作項目の選択や確定操作を操作子２１を回転、スライド及び押圧操作することにより行うことができるため、押圧操作により選択や確定操作を行う場合に比べて押圧操作の入力動作数を少なくすることができる。また、電装品の多数の操作項目の選択や確定操作を操作子２１を回転、スライド及び押圧操作する一連の動作で行うことができる。このため、操作者の操作負担を軽減して操作性を向上させることができる。
【００３２】
なお、この入力装置１には、音声部５と押しボタンスイッチ８とが備えられているため、振動モータ１３による振動で操作者に操作状況を確認させる構成の他に、音声により操作状況を確認させる構成とすることもできる。その場合の動作は、以下のようになる。
【００３３】
まず、操作者は、入力装置１の押しボタンスイッチ８を押圧する。すると、タクトスイッチ１２によるスイッチ信号が制御部４に入力され、音声案内がＯＮ（又はＯＦＦ）状態となる。制御部４は、音声案内がＯＮ（又はＯＦＦ）になった旨を操作者に知らせるべく、音声部５に所定の音声出力を行わせる。この場合、例えば図７（ａ）に示すように、スピーカ３０等から、「音声案内を始めます。」又は「音声案内を終了します。」等の音声メッセージが出力される。そして、ステップＳ６で操作項目の選択が行われている際には、選択されている操作項目１９ａ〜１９ｆに対応して、例えば図７（ｂ）に示すように、「エアコン。」、「サウンド。」、「シーディー。」、「テープ。」、…等の音声メッセージが出力される。
【００３４】
ステップＳ８で操作項目が選択決定された場合には、選択決定された操作項目に対応した音声メッセージが出力される。ここでは、操作項目１９ａが選択決定されたため、例えば図７（ｃ）に示すように、「エアコンが選択されました。」との音声メッセージが出力される。その後、ステップＳ１０でサブ操作項目の選択が行われている際には、選択されているサブ操作項目２０ａ〜２０ｆに対応して、例えば図７（ｄ）に示すように、「内気循環。」、「上方排気。」、「上下排気。」、「下方排気。」、…等の音声メッセージが出力される。ステップＳ１５でサブ操作項目が確定された場合には、確定されたサブ操作項目に対応した音声メッセージが出力される。ここでは、サブ操作項目２０ｅが選択確定されたため、例えば図７（ｅ）に示すように、「下方排気とデフォッグが選択されました。」との音声メッセージが出力される。
【００３５】
そして、ステップＳ１６での制御実行で表示された設定画面１８ａにおける入力動作が完了した際には、完了した入力動作の結果を表わす音声メッセージを出力する。ここでは、温度と風量の設定が完了したため、例えば、図７（ｆ）に示すように、「温度“２５”℃、風量“強”に設定されました。」との音声メッセージが出力される。
【００３６】
このように、操作者の電装品の操作項目の選択や確定操作に対応して音声案内を行うことにより、表示部３を注視しながら操作しなくても所望とする電装品の各種操作（選択操作や確定操作）を操作子２１の操作のみにより行うことができるようになるため、操作者の操作負担を軽減して操作性を更に向上させることが可能となる。
【００３７】
なお、この例の入力装置１は、例えば自動車のセンターコンソールパネル、ドア及びステアリングホイール等に備えられることが考えられる。また、この例では、自動車の電装品の操作を入力装置１を用いて行うことについて説明したが、この入力装置１は、例えば家電製品などの入力装置を必要とする全ての電子機器に適用することができる。
【００３８】
【発明の効果】
以上述べたように、この発明によれば、制御手段が、操作子の回転方向の変位を検出して操作メニューの同一階層の操作項目のうちの１つを選択状態とするように操作メニューを表示し、操作子のスライド方向の変位を検出して選択状態とされている操作項目の上位又は下位の操作メニューを表示し、且つ操作子の押圧方向の変位を検出して選択状態とされている操作項目に対する選択確定処理を実行するので、操作子を回転、スライド及び押圧操作する一連の動作で階層化された操作項目の選択や確定操作を行うことができる。これにより、押圧操作を繰り返して行う場合に比べ、操作者の操作負担は大幅に軽減されるという効果を奏する。
【図面の簡単な説明】
【図１】この発明の一実施形態に係る入力装置を示す機能ブロック図である。
【図２】同入力装置の一部平面図及び一部断面図並びにスイッチ基板の平面図である。
【図３】同入力装置の動作の一例を示すフローチャートである。
【図４】同入力装置の表示部を示す平面図及び同入力装置の一部平面図並びに選択される操作メニューの切換順序を示すブロック図である。
【図５】同入力装置の表示部を示す平面図、同入力装置の一部平面図、選択される操作メニューの切換順序を示すブロック図及び同入力装置の一部簡易断面図である。
【図６】同入力装置の表示部を示す平面図及び同入力装置の一部平面図並びに選択される操作メニューの切換順序を示すブロック図である。
【図７】同入力装置の音声部における音声メッセージの一例を示す図である。
【符号の説明】１…入力装置、２…入力部、３…表示部、４…制御部、５…音声部、６…振動部、７…ドライバ、８…押しボタンスイッチ、９…スイッチ電極、１０…筐体、１１…スライド溝部、１２…タクトスイッチ、１３…振動モータ、２０…スイッチ基板、２１…操作子、２２…動作表示領域、２３…表示切換領域、２４…表示領域、３０…スピーカ、９０…制御ユニット。
【図１】
2004070505.tif 000003
【図２】
2004070505.tif 000004
【図３】
2004070505.tif 000005
【図４】
2004070505.tif 000006
【図５】
2004070505.tif 000007
【図６】
2004070505.tif 000008
【図７】
2004070505.tif 000009